(57)【要約】      （修正有）【課題】新聞古紙の回収から再生に至る事業において、新聞用紙・出版物の印刷用紙を継続的かつ安定的に供給し、紙資源の有効活用を実現する。【解決手段】新聞社・新聞販売店・古紙回収業者・古紙問屋・製紙メーカー等は、新聞古紙の回収から再生に至る事業について、業務提携契約を締結することにより、新聞古紙の回収から再生に至る過程を管理し、この再生紙を印刷用紙として新聞社に供給し、新聞社からの代金を基礎として、新聞販売店・古紙回収業者・古紙問屋・製紙メーカー等に費用の支払をする管理センターを設置し、これらの事業者が新聞古紙や再生紙の取扱数量を入力・送受信・表示する機能を有する端末装置と、新聞古紙や再生紙の取扱数量及び費用の情報を受容・登録・格納し、送信する機能を有する中央演算装置をもって構成し、また、これらの情報の送受信・表示等はインターネットを介することを特徴とする新聞古紙の回収・再生管理システムである。【選択図】図１
2011040022.tif 000002
【特許請求の範囲】
【請求項１】
新聞社・新聞販売店・古紙回収業者・古紙問屋・製紙メーカー等は、新聞古紙の回収から再生紙の生産に至る事業において、新聞古紙あるいは再生紙を取扱する数量を把握し、かつ、これに起因する費用を設定し、新聞古紙の回収及び再生の割合を向上させ、かつ、金銭授受に伴う事務の効率化を図るために、業務提携契約を締結することによって、新聞販売店・古紙回収業者・古紙問屋・製紙メーカー等が新聞古紙の回収から再生紙の生産をする過程を管理し、この再生紙を新聞紙・出版物等の印刷用紙として新聞社に供給し、かつ、新聞社から支払を受けた代金を基礎として、新聞販売店・古紙回収業者・古紙問屋・製紙メーカー等にそれぞれの費用の支払をする管理センターを設置し、また、これらの事業者が新聞古紙あるいは再生紙の取扱数量に関する情報を入力・送受信・表示する機能を有する端末装置と、管理センターが新聞古紙あるいは再生紙の取扱数量及びこれに起因する費用に関する情報を受容・登録・格納し、かつ、これらの事業者の端末装置に送信する機能を有する中央演算装置をもって構成し、また、これらの事業者の端末装置と管理センターの中央演算装置において、新聞古紙あるいは再生紙の取扱数量及びこれに起因する費用に関する情報の送受信・表示等がインターネットを介してなされ、また、管理センターの中央演算装置は、通信手段・記憶手段・管理手段・検索手段・蓄積手段を具備し、これらの事業者の端末装置からインターネットを介して送信される、新聞古紙あるいは再生紙の取扱数量に関する情報に対応することを特徴とする新聞古紙の回収再生管理システム。
【発明の詳細な説明】
【技術分野】
【０００１】  この発明は、新聞古紙の回収から再生に至る事業における取扱数量及びこれに起因する費用の管理するシステムに関する。
【背景技術】
【０００２】  現在、新聞古紙の回収から再生に至るまで事業は、大要、次のような過程を経ている。【０００３】  新聞社は、新聞紙を印刷・発行し、新聞販売店に販売する。新聞販売店は、通常、これを購読者の家庭に配達する。購読者は、新聞紙を読了すると、これをゴミとして廃棄し、あるいは、新聞古紙として処分する。【０００４】  古紙回収業者は、行政の委託を受け、分別ゴミとして新聞古紙を収集し、または、新聞社及び新聞販売店の依頼を受け、新聞販売店の負担する交換品（トイレットペーパー等）と引換に新聞古紙を回収する。【０００５】  古紙回収業者は、一般に、プレス機械（ベイラー）を設置した工場（ヤード）を有しないので、新聞古紙を古紙問屋に納品（販売）する。古紙問屋は、これをプレスした後、製紙メーカーに納品する。このような工場を有する古紙回収業者は、新聞古紙をプレスすると、古紙問屋を介して、あるいは、直接に、製紙メーカーに納品する。【０００６】  製紙メーカーは、古紙問屋あるいは古紙回収業者から受け取った新聞古紙から再生紙を生産した後、新聞社に納品する。新聞社は、この再生紙を用いて、新聞紙・出版物等を印刷・発行する。【０００７】  新聞古紙の回収から再生に至る事業において、このような循環過程が実現すると、新聞用紙・出版物等の印刷用紙を継続的かつ安定的に供給することによって、紙資源を有効的に活用することになる。【０００８】  ところが、現状では、このような循環過程の実現を妨げることがある。古紙回収業者は、通常、新聞社及び新聞販売店と協力関係を維持しているのに対し、古紙問屋及び製紙メーカーは、新聞社及び新聞販売店とはなんら協力関係を有しないからである。【０００９】  古紙問屋及び製紙メーカーは、営業の自由に基づいて、新聞古紙を取引する。したがって、新聞古紙あるいは再生紙を新聞用紙・出版物等とは別の用途に販売し、または、これを海外市場に輸出することもできる。【００１０】  そうすると、新聞古紙あるいは再生紙の価格は、市場原理に従って、需要と供給により変動する。この価格の暴騰によって、新聞古紙を新聞用紙・出版物等の印刷用紙が不足することになる。これに対し、この価格の暴落によって、新聞古紙を新聞用紙・出版物等の印刷用紙の余剰分をもたらすことになる。【００１１】  このような結果は、新聞社の新聞紙の発行を困難にし、あるいは、古紙回収業者の経営を苦境にさらすことになる。これは、新聞用紙・出版物の印刷用紙の継続的かつ安定的な供給を確保することによって、紙資源の有効的な活用を図るためには、大きな障害となる。
【発明の開示】
【発明が解決しようとする課題】
【００１２】  この発明が解決しようする問題点は、新聞紙・出版物等の印刷用紙を継続的かつ安定的に供給することによって、紙資源を有効的に活用するために、新聞古紙の回収及び再生の割合を向上させ、かつ、これに関する事業の効率化を図ることである。【００１３】  このためには、新聞社・新聞販売店・古紙回収業者・古紙問屋・製紙メーカー等は、新聞古紙の回収から再生に至る事業に関係する者（事業者）として、それぞれ、業務提携契約を締結することによって、これらの事業者と管理センターから構成される管理システム構築することが必要である。【００１４】  これらの事業者は、業務提携契約を締結し、それぞれ、新聞古紙あるいは再生紙の取扱数量を把握することが必要である。そうすると、新聞古紙あるいは再生紙の回収及び再生の割合を向上させ、新聞用紙・チラシ等の印刷用紙を継続的かつ安定的に確保することができる。【００１５】  また、これらの事業者は、業務提携契約を締結し、それぞれ、新聞古紙あるいは再生紙の取扱に起因する費用を設定することである。そうすると、これらの取扱数量に応じた金銭の決済を全体として管理し、新聞古紙あるいは再生紙の価格の変動を回避することができる。
【課題を解決するための手段】
【００１６】  この発明が解決する手段は、新聞古紙の回収再生管理システムである。【００１７】  先ず、新聞社（３）・新聞販売店（４）・古紙回収業者（６）・古紙問屋（７）・製紙メーカー（８）等は、新聞古紙の回収（１７）から再生紙の生産（２１）に至る事業において、新聞古紙あるいは再生紙の取扱数量を把握し、かつ、これに起因する費用を設定することによって、新聞古紙の回収及び再生の割合を向上させ、かつ、金銭授受に伴う事務の効率化を図るために、それぞれ、業務提携契約を締結し、新聞古紙の回収と再生の管理システムを構築する。【００１８】  次に、この管理システムは、新聞販売店（４）・古紙回収業者（６）・古紙問屋（７）・製紙メーカー（８）等が新聞古紙を回収し再生紙を生産するに至る過程を管理し、この再生紙を新聞用紙・出版物等の印刷用紙として新聞社（３）に供給し（２１）、かつ、新聞社（３）から支払を受けた代金（２８）を基礎として、新聞販売店（４）・古紙回収業者（６）・古紙問屋（７）・製紙メーカー（８）等にそれぞれの費用の支払をする管理センター（２）を設置する。【００１９】  更に、この管理システムは、新聞社（３）・新聞販売店（４）・古紙回収業者（６）・古紙問屋（７）・製紙メーカー（８）等が新聞古紙あるいは再生紙の回収と再生の取扱数量に関する情報を入力・送受信・表示する機能を有する端末装置と、管理センター（２）が新聞古紙あるいは再生紙の取扱数量及びこれに起因する費用に関する情報を受容・登録・格納・表示し、かつ、これらの事業者の端末装置に送信する機能を有する中央演算装置（９）をもって構成される。【００２０】  更に、この管理システムは、新聞社（３）・新聞販売店（４）・古紙回収業者（６）・古紙問屋（７）・製紙メーカー（８）等の端末装置と管理センター（２）の中央演算装置（９）において、新聞古紙あるいは再生紙の取扱数量及びこれに起因する費用に関する情報の送受信・表示等は、インターネット（１）を介してなされる。【００２１】  最後に、この管理システムは、通信手段（１０）・記憶手段（１１）・管理手段（１２）・検索手段（１３）・蓄積手段（１４）を具備する管理センター（２）の中央演算装置（９）をもって、新聞社（３）・新聞販売店（４）・古紙回収業者（６）・古紙問屋（７）・製紙メーカー（８）等の端末装置からインターネット（１）を介して送信される新聞古紙あるいは再生紙の取扱数量に関する情報に対応する。
【発明の効果】
【００２２】  この発明の効果は、次の通りである。【００２３】  一つは、新聞古紙の回収（１７）から再生紙の生産（２１）に関する事業において、いろいろな事業者は、この管理システムを通して、新聞古紙あるいは再生紙の取扱数量を管理することができる。したがって、新聞古紙あるいは再生紙の回収及び再生の割合を向上させ、新聞用紙・出版物等の印刷用紙を継続的かつ安定的に確保することができる。【００２４】  二つは、新聞古紙の回収（１７）から再生紙の生産（２１）に関する事業において、いろいろな事業者は、この管理システムを通して、新聞古紙あるいは再生紙の取扱に起因する費用を設定することができる。したがって、これらの取扱い数量に応じた費用の決済を管理し、新聞古紙あるいは再生紙の価格の変動を回避することができる。
【発明を実施するための最良の形態】
【００２５】  この発明を実施するための最良の形態は、次の通りである。【００２６】  新聞社（３）・新聞販売店（４）・古紙回収業者（６）・古紙問屋（７）・製紙メーカー（８）等は、新聞古紙の回収（１７）から再生紙の生産（２１）に至る事業において、それぞれ、業務提携契約を締結することによって、新聞古紙の回収・再生管理システムを構築する。【００２７】  この管理システムは、新聞古紙あるいは再生紙の取扱数量を把握し、かつ、これに起因する費用を設定するので、新聞古紙の回収及び再生の割合を向上させ、かつ、金銭の授受に伴う事務の効率化を図り、新聞紙・出版物等の印刷用紙を継続的かつ安定的に供給し、紙資源の有効的な活用をすることになる。【００２８】  この管理システムを運用する管理センター（２）は、新聞販売店（４）・古紙回収業者（６）・古紙問屋（７）・製紙メーカー（８）等が新聞古紙の回収（１７）から再生紙の生産（２１）をする過程を管理し、この再生紙を新聞紙・出版物等の印刷用紙として新聞社（３）に供給し（２１），また、この再生紙の代金の支払（２８）を新聞社（３）から受けると、この代金を基礎として、新聞販売店（４）・古紙回収業者（６）・古紙問屋（７）・製紙メーカー（８）等にそれぞれの費用の支払（２９）（３０）（３１）（３２）をする。【００２９】  この管理システムを構成するのは、新聞社（３）・新聞販売店（４）・古紙回収業者（６）・古紙問屋（７）・製紙メーカー（８）等が新聞古紙あるいは再生紙の取扱数量に関する情報を入力・送受信・表示する機能を有する端末装置、また、管理センター（２）が新聞古紙あるいは再生紙の取扱数量及びこれに起因する費用に関する情報を受容・登録・格納・表示し、かつ、これらの事業者の端末装置に送信する機能を有する中央演算装置（９）である。【００３０】  この管理システムを構成する新聞社（３）・新聞販売店（４）・古紙回収業者（６）・古紙問屋（７）・製紙メーカー（８）等の端末装置と管理センター（２）の中央演算装置（９）において、新聞古紙あるいは再生紙の取扱数量及びこれに起因する費用に関する情報の送受信・表示等は、インターネット（１）を介してなされる。【００３１】  この管理システムを運営する管理センター（２）の中央演算装置（９）は、通信手段（１０）、記憶手段（１１）、管理手段（１２）、検索手段（１３）、蓄積手段等（１４）を具備し、新聞社（３）・新聞販売店（４）・古紙回収業者（６）・古紙問屋（７）・製紙メーカー（８）等の端末装置から、インターネット（１）を介して送信される、新聞古紙あるいは再生紙の取扱数量に関する情報に対応する。【００３２】  この管理システムの運営の開始は、このシステム構成員である新聞社（３）が、１年間の新聞の発行部数を確定し、かつ、管理センター（２）対し、新聞紙・出版物等に用いる印刷用紙として、新聞古紙から生産した再生紙を１年間で必要とする数量の供給を依頼し、これらに関する情報を端末装置に入力し、管理センター（２）の中央演算装置（９）に送信することである（２２）。【００３３】  管理センター（２）は、中央演算装置（９）をもって、この依頼を受けた再生紙の数量に対し、一般に、７０％から８０％の割合を乗じて、この数量の再生紙を生産するために必要な新聞古紙の数量を計算し、新聞古紙の年間及び月別の数量を出し、かつ、この数量の再生紙の供給を確認し、これらに関する情報を登録・格納した後、すべてのシステム構成員の端末装置に送信する（２２）。【００３４】  管理センター（２）は、中央演算装置（９）をもって、このシステム構成員となる複数の新聞販売店（４）に対し、それぞれ、新聞の販売を担当する地域ごとに、新聞古紙を回収するために必要となる購読者（５）の所在に関する情報の提供を依頼し、これに関する情報を新聞販売店（４）の端末装置に送信する。【００３５】  新聞販売店（４）は、それぞれ、新聞の販売を担当する地域における購読者（５）の所在に関する情報を端末装置に入力し、管理センター（２）の中央演算装置（９）に送信する。
管理センター（２）は、中央演算装置（９）をもって、複数の新聞販売店（４）が提供した情報を整理して、これらの情報を複数の古紙回収業者（６）の回収する地域ごとに割振った後、これに関する情報を登録・格納する。【００３６】  管理センター（２）は、中央演算装置（９）をもって、このシステム構成員である複数の古紙回収業者（６）に対し、それぞれ、新聞古紙を回収する購読者（５）の所在に関する情報を提供し、かつ、新聞古紙の回収を依頼し、これに関する情報を古紙回収業者（６）の端末装置に発信する。
古紙回収業者（６）は、交換品（例えば、トイレットペーパー等）と引き換えに（２４）、新聞の購読者（５）から戸別に回収した新聞古紙の数量を確認し、また、プレス機械を設置した工場を所有しなければ、そのままの新聞古紙を古紙問屋（７）に引渡をし（１８）、あるいは、このような工場を所有すれば、プレスした新聞古紙を製紙メーカー（８）に引渡をし（１９）、この新聞古紙の数量に関する情報を端末装置に入力し、管理センター（２）の中央演算装置（９）に送信する。【００３７】  管理センター（２）は、中央演算装置（９）をもって、新聞古紙の回収数量が注文数量を超える場合、例えば、トイレットペーパー等の交換品・その他紙製品の製造を製紙メーカー（８）に依頼し、新聞古紙の売却を古紙問屋（７）に依頼する等、この超過部分を別の用途に利用し、あるいは、回収数量が注文数量に不足する場合、この不足分を第三者より調達して埋め合わせることを古紙問屋（７）に依頼し、また、新聞古紙の回収数量に応じて、新聞販売店（４）に対する協力費及び古紙回収業者（６）に対する回収費を算定し、この数量及び費用に関する情報を登録・格納した後、すべての構成員の端末装置に送信する。【００３８】  管理センター（２）は、中央演算装置（９）をもって、このシステム構成員である複数の古紙問屋（７）に対し、古紙回収業者（６）から新聞古紙の収集をし（１８）、製紙メーカー（８）に納品（引渡）すこと（２０）を依頼し、これに関する情報を古紙問屋（７）の端末装置に送信する。
古紙問屋（７）は、一般に、プレス機械を設置した工場を有しない古紙回収業者（６）から、新聞古紙を収集し（１８）、これをプレスした後、これに関する情報を端末装置に入力し、管理センター（２）の中央演算装置（９）に送信する。【００３９】  管理センター（２）は、中央演算装置（９）をもって、新聞古紙の取扱数量に応じて、古紙問屋（７）に対する収集代あるいはプレス代を算定し、または、ブレス機械を設置する工場を有する古紙回収業者（６）の回収費にプレス代を加算し、これらに関する情報を登録・格納した後、すべてのシステム構成員の端末装置に送信する。
管理センター（２）は、中央演算装置（９）をもって、このシステム構成員である複数の製紙メーカー（８）に対し、新聞古紙を再生紙に再生し、新聞紙・出版物等の印刷用紙として新聞社（３）に納品（引渡）すること（２１）を依頼するために、製紙メーカー（８）の端末装置に送信する。【００４０】  製紙メーカー（８）は、新聞古紙を再生紙とした後、この再生紙をこのシステムの構成員である新聞社（３）に納品（引渡）し（２１）、これに関する情報を端末装置に入力し、管理センター（２）の中央演算装置（９）に送信する。
管理センター（２）は、中央演算装置（９）を通して、再生紙の生産数量に応じて、製紙メーカー（８）の加工料を算定し、これらに関する情報を登録・格納した後、このシステムのすべての構成員の端末装置に送信する。【００４１】  管理センター（２）は、中央演算装置（９）を通して、このシステム構成員である新聞社（３）に対し、製紙メーカー（８）から引渡を受けた印刷用紙の数量の連絡を依頼し、新聞社（３）の端末装置に送信する。
新聞社（３）は、製紙メーカー（８）から引渡を受けた再生紙の数量に関する情報を端末装置に入力し、管理センター（２）の中央演算装置（９）に送信する。【００４２】  管理センター（２）は、中央演算装置（９）をもって、新聞販売店（３）に対する協力費（２９）、古紙回収業者（６）に対する回収費あるいは回収費及びプレス代（３０）、古紙問屋（７）に対する収集費あるいは収集費及びプレス代（３１）、製紙メーカー（８）の加工料（３２）を基礎とし、かつ、新聞古紙の時価を考慮し、また、新聞古紙の超過及び不足に伴って生ずる収支を加算した後、印刷用紙の数量に応じて、代金を算定し、かつ、この代金の支払を新聞社（３）に請求し、これに関する情報を登録・格納した後、すべてのシステム構成員の端末装置に送信する。【００４３】  管理センター（２）は、新聞社（３）から再生紙の代金の支払（２８）を受けると、管理センター（２）の運営に必要な経費を控除し、新聞販売店に対し協力費の支払（２９）、古紙回収業者に対し回収費あるいは回収費及びプレス代の支払（３０）、古紙問屋に対し収集費あるいは収集費及びプレス代の支払（３１）、製紙メーカー（３２）に対し生産費の支払をする。【００４４】  管理センター（２）は、このシステムの正常な運営を保証するために、すべてのシステム構成員に対し、新聞古紙の回収及び再生紙の生産に関する情報の提供を依頼したにもかかわらず、この情報の提供を拒否しあるいは怠ったとき、注意・停止・除名等の制裁を課することができる。
【図面の簡単な説明】
【００４５】
【図１】  本発明のシステムの構成を示す概略図である。
【図２】  本発明のシステムによる新聞古紙の回収から再生に至る過程を取扱数量から説明する説明図である。
【図３】  本発明のシステムによる新聞古紙の回収から再生に至る過程を費用から説明する図である。
【符号の説明】
【００４６】  １    インターネット
２    管理センター
３    新聞社
４    新聞販売店
５    購読者
６    古紙回収業者
７    古紙問屋
８    製紙メーカー
９    中央演算装置
１０    通信手段
１１    記憶手段
１２    管理手段
１３    検索手段
１４    蓄積手段
１５    新聞紙の発行（販売）
１６    新聞紙の配達（販売）
１７    新聞古紙の回収
１８    新聞古紙の収集（取次）
１９    プレス済新聞古紙の納品
２０    新聞古紙の納品
２１    再生紙の納品
２２    再生紙の需要情報
２３    購読者の情報
２４    交換品の支給情報
２５    新聞古紙の回収情報
２６    新聞古紙の収集情報
２７    再生紙の生産情報
２８    再生紙の代金の支払
２９    協力費の支払
３０    回収費あるいは回収費及びプレス代の支払
３１    収集費あるいは収集費及びプレス代の支払
３２    再生紙の生産費の支払
【図１】
2011040022.tif 000003
【図２】
2011040022.tif 000004
【図３】
2011040022.tif 000005